(57)【要約】【課題】  ピストン部と、このピストン部の両側のガイド軸受との間の隙間を調整することができ、安価に振動を抑制することができる往復動圧縮機を提供する。【解決手段】  この往復動圧縮機は、入力軸と、後方軸と、シリンダ対と、ピストン部と、カム軸とを備え、この偏心カムのピストン受け部がそれぞれピストン部のピストンロッド１６の中間に設けられたカム受け面に当接してピストンロッド１６を進退させ、シリンダ対の各シリンダ室１２ａ内の圧縮を行う。ピストンロッド１６に設けられた被案内部３０と、ケース２に設けられ、入力軸の軸心Ｌ１に平行な軸心回りに回転自在で被案内部３０に案内させるガイド軸受２９と、ガイド軸受２９の内輪に嵌合されたガイド軸受軸３１と、ガイド軸受軸３１を、ピストンの中心軸およびガイド軸受２９の軸心の両方に直交する方向に進退調整可能な進退調整手段２７とを設けた。【選択図】      図６
2014202125.tif 000002
【特許請求の範囲】
【請求項１】
ケースの一方端に回転自在に支持され、前記ケースの外部から伝達される駆動力により回転させられる入力軸と、
前記ケースの他方端に回転自在に支持され前記入力軸と同心で回転運動する後方軸と、
前記入力軸および前記後方軸の軸心を挟んでこの軸心と垂直な方向に互いに対向して配置された２つのシリンダ室を有するシリンダ対と、
前記シリンダ対の前記シリンダ室内に摺動自在に嵌合した２つのピストンおよびこれら２つのピストンを互いに一体に動作可能に連結したピストンロッドを有するピストン部と、
前記入力軸と前記後方軸の間にこれら入力軸および後方軸と一体に回転可能に設けられて前記入力軸および前記後方軸の軸心に対して偏心したカム軸と、
このカム軸の外周にこのカム軸の軸心回りに回転自在に設置されて外周面に前記カム軸の軸心に対して偏心したカム面であるピストン受け部が設けられた偏心カムとを備え、
この偏心カムの前記ピストン受け部がそれぞれ前記ピストン部の前記ピストンロッドの中間に設けられたカム受け面に当接して前記ピストンロッドを進退させ、
前記シリンダ対の各シリンダ室内の圧縮を行う往復動圧縮機であって、
前記ピストンロッドに設けられた被案内部と、
前記ケースに設けられ、前記入力軸の軸心に平行な軸心回りに回転自在で前記被案内部に案内させるガイド軸受と、
前記ガイド軸受の内輪に嵌合されたガイド軸受軸と、
このガイド軸受軸を、前記ピストンの中心軸および前記ガイド軸受の軸心の両方に直交する方向に進退調整可能な進退調整手段と、
を設けた
ことを特徴とする往復動圧縮機。
【請求項２】
請求項１記載の往復動圧縮機において、前記進退調整手段は、前記ケースに設けられ、前記ガイド軸受軸を支持する調整溝を有し、この調整溝は、前記ガイド軸受軸を前記直交する方向に沿って移動可能な長孔からなる往復動圧縮機。
【請求項３】
請求項１記載の往復動圧縮機において、前記ガイド軸受軸は、前記ガイド軸受軸の軸心に対して偏心し前記内輪に嵌合される偏心軸部を含み、前記進退調整手段は、前記ガイド軸受軸をその軸心回りに回転させることで、前記偏心軸部を前記直交する方向に進退調整可能とした往復動圧縮機。
【請求項４】
請求項１ないし請求項３のいずれか１項に記載の往復動圧縮機において、前記進退調整手段は、前記ガイド軸受軸を、前記直交する方向に進退調整しその調整した位置で前記ケースに固定する固定手段を有する往復動圧縮機。
【請求項５】
請求項４記載の往復動圧縮機において、前記ガイド軸受軸は、前記ケースを組み付けた状態で、進退調整可能でかつ前記固定手段により前記ケースに固定される往復動圧縮機。
【請求項６】
請求項１ないし請求項５のいずれか１項に記載の往復動圧縮機おいて、前記進退調整手段は、前記ガイド軸受軸を進退調整するときこのガイド軸受軸に予圧を与える予圧付与手段を含む往復動圧縮機。
【発明の詳細な説明】
【技術分野】
【０００１】
この発明は、入力軸の回転をシリンダ内のピストンの往復運動に変換するレシプロ式の往復動圧縮機に関する。
【背景技術】
【０００２】
圧縮機の駆動方式として、カム軸に連繋されたピストンの往復運動により気体の吸引と吐出とを繰り返すレシプロ駆動方式、固定スクロールに対する旋回スクロールを回転させて気体の吸引と吐出とを繰り返すスクロール型のロータリ駆動方式、一対のローラの回転運動により気体の吸引と吐出とを繰り返すローラ型のロータリ駆動方式等が採用されている。
中速回転以下で使用される小型の圧縮機では、高い気密性が要求されることから、上記各駆動方式において気密性で有利なレシプロ駆動方式を採用したものが主流となっている。レシプロ駆動方式である圧縮機の構造が種々提案されている（例えば特許文献１〜６）。
【先行技術文献】
【特許文献】
【０００３】
【特許文献１】特許第４８７２９３８号公報
【特許文献２】特許第４４８２３３７号公報
【特許文献３】特許第１４８０１９０号公報
【特許文献４】特開２０１１−２３１７４４号公報
【特許文献５】特許第４５５３９７７号公報
【特許文献６】特開２０１１−２０２５１９号公報
【発明の概要】
【発明が解決しようとする課題】
【０００４】
一般的なレシプロ駆動方式は、振動、騒音が高く、また、エネルギー効率が悪いことなどが問題となる。
前記各提案の圧縮機の構造は、それぞれ以下の問題がある。
【０００５】
特許文献１のものは、４つのシリンダに４つのピストンおよびピストンロッドが必要となり、それぞれを配置するためには入力シャフト軸方向の長さが拡張してしまう。また、円筒形であるピストン中心軸高さが隣り合う位相で異なり、重心のバランスを取ることが困難となる。
特許文献２のものは、２ヘッド式の構造であり、第１ピストンおよびその関連アセンブリの質量と、第２ピストンおよびその関連アセンブリの質量とを同じにしても、回転軸に対してバランスを取ることが難しい。
【０００６】
特許文献３のものは、ピストンヘッド部とシリンダ内の摺動面との摩擦により、ピストンヘッド部に取り付けられるシールカップおよびピストンリングが損傷、偏摩耗等を生じ、気密性の劣化および摩耗の増大によって、エネルギー損失が増加する恐れがある。
特許文献４には、２気筒の図が示されているが、この構造では回転軸に対してバランスを取るのが難しい。明細書中に２気筒単段以外にも適用可能であると記載されているが、明確な記述はなく、２気筒の考え方で構成されるバランスウェイトをそれぞれ取り付けても、完全に回転バランスを取ることはできない。
【０００７】
特許文献５のものは、シャフト軸を中心に等速回転運動する回転部品が、シャフト軸の回転運動をピストン組の直線往復運動に変換する。このピストン組の往復運動の不釣合いによる振動、騒音を、回転部品の両端部にそれぞれ配置するバランスウェイトで抑えている。
【０００８】
特許文献６では、シリンダからの直接的な反力を小さくするために、ピストンの直線往復運動をガイドするガイド軸受を具備しているが、同特許文献６の請求項３（例えば図９）に開示されている構造では、ガイド軸受がスムーズに転がるためには、ガイド軸受とガイド孔の隙間関係を必ず正隙間にする必要がある。しかし、この隙間が大きすぎると、ピストンの往復運動は機構上の正しい位置から大きく外れ不安定な運動をすることで、振動が大きくなる。したがって、前記隙間（各部品の位置精度）を所定の寸法にするためには、高い加工精度が求められる。
また、同特許文献６の請求項２（例えば図３）に開示されている構造では、ピストンの側面幅、軸径、軸穴径、軸穴位置精度、ベアリングがた等多くの部品の加工精度を上げて、ピストンの側面と両サイドのガイド軸受間の隙間を管理する必要がある。
このように高い加工寸法精度を求めることは、量産時の高コスト化になる。
【０００９】
この発明の目的は、ピストン部と、このピストン部の両側のガイド軸受との間の隙間を調整することができ、安価に振動を抑制することができる往復動圧縮機を提供することである。
【課題を解決するための手段】
【００１０】
この発明の往復動圧縮機は、ケースの一方端に回転自在に支持され、前記ケースの外部から伝達される駆動力により回転させられる入力軸と、
前記ケースの他方端に回転自在に支持され前記入力軸と同心で回転運動する後方軸と、
前記入力軸および前記後方軸の軸心を挟んでこの軸心と垂直な方向に互いに対向して配置された２つのシリンダ室を有するシリンダ対と、
前記シリンダ対の前記シリンダ室内に摺動自在に嵌合した２つのピストンおよびこれら２つのピストンを互いに一体に動作可能に連結したピストンロッドを有するピストン部と、
前記入力軸と前記後方軸の間にこれら入力軸および後方軸と一体に回転可能に設けられて前記入力軸および前記後方軸の軸心に対して偏心したカム軸と、
このカム軸の外周にこのカム軸の軸心回りに回転自在に設置されて外周面に前記カム軸の軸心に対して偏心したカム面であるピストン受け部が設けられた偏心カムとを備え、
この偏心カムの前記ピストン受け部がそれぞれ前記ピストン部の前記ピストンロッドの中間に設けられたカム受け面に当接して前記ピストンロッドを進退させ、
前記シリンダ対の各シリンダ室内の圧縮を行う往復動圧縮機であって、
前記ピストンロッドに設けられた被案内部と、
前記ケースに設けられ、前記入力軸の軸心に平行な軸心回りに回転自在で前記被案内部に案内させるガイド軸受と、
前記ガイド軸受の内輪に嵌合されたガイド軸受軸と、
このガイド軸受軸を、前記ピストンの中心軸および前記ガイド軸受の軸心の両方に直交する方向に進退調整可能な進退調整手段とを設けたことを特徴とする。
【００１１】
この構成によると、入力軸を駆動源により回転駆動することで、入力軸および後方軸の軸心に対して偏心したカム軸が一体に回転し、カム軸の軸心が旋回する。このため、このカム軸の外周に回転自在に設置された偏心カムは、入力軸および後方軸の軸心を中心として公転しながら、カム軸の軸心回りに自転する。これと共に、偏心カムの各ピストン受け部が、ピストンロッドの中間のカム受け面に当接して前記ピストンロッドを進退させる。したがって、各シリンダ室内でピストンがそれぞれ摺動する。入力軸の回転運動をシリンダ対の往復運動に変換することで、シリンダ対において気体の圧縮および吐出が繰り返し行われる。シリンダ対で圧縮された圧縮気体は、対象機器に送り出される。
【００１２】
前記のようにピストンロッドを進退させるとき、このピストンロッドに設けられた被案内部が、入力軸の軸心に平行な軸心回りに回転自在なガイド軸受に案内される。ガイド軸受の内輪には、ガイド軸受軸が嵌合されている。進退調整手段により、前記ガイド軸受を前記直交する方向に進退調整することで、ピストンロッドと、ガイド軸受との間の隙間を調整し得る。これによりガイド軸受をガタつきなくスムーズに回転させ、振動の抑制を図ることができる。
したがって、従来のように部品の加工精度を高くすることなく、振動の抑制を図れるため、従来技術よりも製作コストを低減することができる。また、ピストンロッドの被案内部がガイド軸受に案内されることで、ピストンの往復直線運動を円周方向のみならず軸方向にもガイドする。よって、シリンダ室内で摺動するピストンが不所望に傾いたり過度に押し付けられることを防止することにより、ピストンの耐久性が向上するうえ、振動も抑制することが可能となる。
【００１３】
前記進退調整手段は、前記ケースに設けられ、前記ガイド軸受軸を支持する調整溝を有し、この調整溝は、前記ガイド軸受軸を前記直交する方向に沿って移動可能な長孔からなるものとしても良い。ガイド軸受軸は、ケースに設けられた調整溝に支持される。ガイド軸受軸を、前記長孔からなる調整溝に沿って移動し固定することで、ピストンロッドと、ガイド軸受との間の隙間を容易に調整することができる。
【００１４】
前記ガイド軸受軸は、前記ガイド軸受軸の軸心に対して偏心し前記内輪に嵌合される偏心軸部を含み、前記進退調整手段は、前記ガイド軸受軸をその軸心回りに回転させることで、前記偏心軸部を前記直交する方向に進退調整可能としても良い。この場合、ガイド軸受軸を回転させて偏心軸部を進退調整した後、ガイド軸受軸を回転不能に固定することで、ピストンロッドと、ガイド軸受との間の隙間を容易に調整することができる。
【００１５】
前記進退調整手段は、前記ガイド軸受軸を、前記直交する方向に進退調整しその調整した位置で前記ケースに固定する固定手段を有するものとしても良い。ガイド軸受軸を進退調整した後、このガイド軸受を固定手段によりケースに固定することで、ピストンロッドと、ガイド軸受との間の隙間を適正に維持管理することができる。
【００１６】
前記ガイド軸受軸は、前記ケースを組み付けた状態で、進退調整可能でかつ前記固定手段により前記ケースに固定されるものとしても良い。この場合、ケースを閉じた状態のままつまりケースを開くことなくこのケースの外部から、ガイド軸受軸を進退調整しケースに固定することができるため、メンテナンス性に優れる。前記固定手段として、例えば、ねじを適用し得る。
前記ガイド軸受軸は、前記ケースを組み付けた状態で、進退調整可能でかつ弾性部材を介してねじによって前記ケースに固定されるものとしても良い。
【００１７】
前記進退調整手段は、前記ガイド軸受軸を進退調整するときこのガイド軸受軸に予圧を与える予圧付与手段を含むものとしても良い。予圧付与手段によりガイド軸受軸に予圧を与えた状態で、このガイド軸受軸をケースに固定する。これにより、ガイド軸受をガタつきなくスムーズに回転させる状態を維持できる。
【発明の効果】
【００１８】
この発明の往復動圧縮機は、入力軸と、後方軸と、シリンダ対と、ピストン部と、カム軸とを備え、この偏心カムのピストン受け部がそれぞれ前記ピストン部のピストンロッドの中間に設けられたカム受け面に当接して前記ピストンロッドを進退させ、前記シリンダ対の各シリンダ室内の圧縮を行う往復動圧縮機であって、前記ピストンロッドに設けられた被案内部と、前記ケースに設けられ、前記入力軸の軸心に平行な軸心回りに回転自在で前記被案内部に案内させるガイド軸受と、前記ガイド軸受の内輪に嵌合されたガイド軸受軸と、このガイド軸受軸を、前記ピストンの中心軸および前記ガイド軸受の軸心の両方に直交する方向に進退調整可能な進退調整手段とを設けたため、ピストン部と、このピストン部の両側のガイド軸受との間の隙間を調整することができ、安価に振動を抑制することができる。
【図面の簡単な説明】
【００１９】
【図１】この発明の第１の実施形態に係る往復動圧縮機の要部の断面図である。
【図２】図１のＡ−Ａ線断面図である。
【図３】（Ａ）は、同往復動圧縮機における第２段の圧縮機構部のピストン部の断面図、（Ｂ）は、図３（Ａ）のＤ−Ｄ線断面図である。
【図４】同往復動圧縮機の偏心カム等の断面図である。
【図５】同往復動圧縮機の進退調整手段等を拡大して示す断面図である。
【図６】図５のＥ−Ｅ線断面図である。
【図７】同往復動圧縮機のシリンダ対の動作を説明する図である。
【図８】この発明の他の実施形態に係る往復動圧縮機の進退調整手段等を拡大して示す断面図である。
【図９】図８のＦ−Ｆ線断面図である。
【発明を実施するための形態】
【００２０】
この発明の第１の実施形態に係る往復動圧縮機を図１ないし図７と共に説明する。図１は、実施形態に係る往復動圧縮機の要部の断面図であり、図２は図１のＡ−Ａ線断面図である。この往復動圧縮機は、カム軸付き回転軸１の回転運動をピストンの往復運動に変換する往復動形の圧縮機である。
図１に示すように、この往復動圧縮機は、主に、ケース２と、カム軸付き回転軸１と、各段が往復動形の複数段形の圧縮機構３と、偏心カム１３と、ピストン規制手段１７と、進退調整手段２７（図５）と、前記ケース２内に形成されたチャンバ４（図２）とを有する。ケース２は例えば概略立方体形状に形成され、このケース２に、カム軸付き回転軸１および圧縮機構３がそれぞれ支持される。
【００２１】
ケース２は、例えば、二つ割りの分割構造体であって一方のケース分割体に他方のケース分割体が組合わされて複数のボルト等により固定されて成る。
図２に示すように、ケース２の一方端および他方端に、それぞれ軸受５を介して、カム付き回転軸１が回転自在に支持されている。このカム付き回転軸１は、モータまたはエンジン等の駆動源からの駆動力により、直接またはカップリングを介して間接に回転駆動される。なお前記モータのモータ軸と、カム軸付き回転軸１にわたってベルトまたはチェーン等の動力伝達手段を設け、前記モータからの駆動力を動力伝達手段を介してカム軸付き回転軸１に伝達しても良い。
【００２２】
カム軸付き回転軸１は、入力軸６と、この入力軸６の軸心Ｌ１に対して径方向に距離Ａだけ偏心したカム軸（換言すればクランク軸）７と、前記入力軸６と同心の後方軸８とを有する。入力軸６にカム軸７を介して後方軸８が固定される。入力軸６の軸方向一端部がケース２の一方端から突出し、このケース２内において、入力軸６の軸方向他端部に、カム軸７の軸方向一端部および第１のバランスウェイト９が固定される。同ケース２内にて、カム軸７の軸方向他端部に、後方軸８の軸方向一端部および第２のバランスウェイト１０が固定される。後方軸８の軸方向他端部がケース２の他方端から突出する。第１，第２のバランスウェイト９，１０は、カム軸７の回転バランスを取るために設けられる。
【００２３】
これら入力軸６、カム軸７、第１，第２のバランスウェイト９，１０、および後方軸８は、この例ではそれぞれ別体として部品間で固定する構造にしているが、この構造に限定されるものではない。例えば、これら入力軸６、カム軸７、第１，第２のバランスウェイト９，１０、および後方軸８のうち、少なくともいずれか複数のものを互いに一体に削り出し等で形成しても良い。
【００２４】
圧縮機構３について説明する。
圧縮機構３は、第１段の圧縮機構部３ａと、第２段の圧縮機構部３ｂとを有し、これら圧縮機構部３ａ，３ｂは前記軸心に沿って並べて設けられる。各圧縮機構部３ａ，３ｂは、互いに対向して配置される２つのシリンダ室１２ａを有するシリンダ対１２と、ピストン部２６とを有する。圧縮機構３は、順次、第１段の圧縮機構部３ａのシリンダ対１２および第２段の圧縮機構部３ｂのシリンダ対１２で各段の圧縮を行う。前記対向して配置される２つのシリンダ室１２ａは、それぞれ入力軸６および後方軸８の軸心Ｌ１を挟んで、この軸心Ｌ１と垂直な方向に互いに対向する。各段の圧縮機構部３ａ，３ｂは、前記カム軸付き回転軸１でそれぞれピストン１１が駆動され、かつ、前段である第１段の圧縮機構部３ａの圧縮気体出口が、後段である第２段の圧縮機構部３ｂに順次連通している。
【００２５】
前記対向して配置された２つのシリンダ室１２ａを有するシリンダ対１２は、同じ圧縮段としている。各シリンダ室１２ａの外側の端面には、蓋部材１４が取り付けられ、シリンダ室１２ａ内における蓋部材１４とピストン１１との間の空間が圧縮室１５とされている。各圧縮機構部３ａ，３ｂにおいて、１つのシリンダ室１２ａと、この１つのシリンダ室１２ａ内で摺動自在に設けられるピストン１１と、このピストン１１に連結されたピストンロッド１６とでシリンダ装置を構成する。なお、蓋部材１４の外面には、多数のフィン１４ａが形成されている。
【００２６】
図３（Ａ）は、往復動圧縮機における第２段の圧縮機構部のピストン部の断面図であり、図３（Ｂ）は、図３（Ａ）のＤ−Ｄ線断面図である。図３（Ａ）に示すように、前記ピストン部２６は、２つのピストン１１と、ピストンロッド１６とを有する。
図１，図２に示すように、前記２つのピストン１１は、各シリンダ対１２の各シリンダ室１２ａ内に設けられて、前記軸心Ｌ１と垂直な方向にそれぞれ摺動自在で互いに対向する。ピストンロッド１６は、これら２つのピストン１１を互いに一体に動作可能に連結している。
【００２７】
入力軸６および後方軸８の軸心Ｌ１の回りの各シリンダ対１２の円周方向位置は、第１段，第２段で互いに異なる。さらに第１段，第２段のシリンダ対１２は、軸心Ｌ１の軸方向にシリンダ室１２ａが重なり範囲を有する。また円周方向に隣合う各シリンダ対１２の圧縮段が互いに異なる。各段の圧縮機構部３ａ，３ｂは、前記軸心Ｌ１で隣合う段の各ピストン１１の摺動する方向が互いに直交するように配置される。換言すれば、対向する２つのシリンダ室１２ａの並び方向が、隣合う段で直交するように、複数段の圧縮機構部３ａ，３ｂが配置される。
【００２８】
図３（Ａ）に示すように、各ピストン１１は、フランジ部１１ａと、シールカップ１１ｂと、ピストンヘッド１１ｃと、ねじ部材（図示せず）とを有する。１つの段の圧縮機構部３ａ，３ｂでは、対向するピストン１１のピストン径は同一に構成され、各段毎にピストン径が異なる構成となっている。またこの例では、図２に示すように、第１段の圧縮段におけるピストン１１のピストン径は、第２段の圧縮段におけるピストン１１のピストン径よりも大径に形成されている。これにより、各段のシリンダ室１２ａの径が互いに異なっていて、大径側である第１段のシリンダ室１２ａの、前記軸心Ｌ１の軸方向範囲内に、小径側である第２段のシリンダ室１２ａが収まる配置とされている。
【００２９】
図３において、フランジ部１１ａは、ピストンロッド１６の軸方向両端部にそれぞれ設けられ、ピストンヘッド１１ｃおよびシールカップ１１ｂは、前記ねじ部材によりフランジ部１１ａに固定される。略円板状のピストンヘッド１１ｃの外周面および一側面に、シールカップ１１ｂが設けられる。このシールカップ１１ｂは、ピストンヘッド１１ｃの外周面に密着する図示外の円筒部と、この円筒部の一方端から内径側に延びる図示外のつば状部とを有し、このつば状部を、ピストンヘッド１１ｃとフランジ部１１ａとの間に挟み込ませることで固定される。なお前記シールカップ１１ｂの代わりに、Ｃ形またはそれに類似した形状のピストンリングを用いても良い。
【００３０】
ピストンロッド１６の軸方向中間部分には、段付き貫通状の円形孔の小径側内径面からなるカム受け面１６ａが形成され、このピストンロッド１６のカム受け面１６ａに、ピストン受軸受１８（図２）が嵌合されている。なお、ピストンロッド１６の軸方向両端部分には、それぞれ軽量化のための孔１６ｂが形成されている。
図２に示すように、隣合う段で直交する位置に配置される各ピストンロッド１６にそれぞれ嵌合されるピストン受軸受１８に、偏心カム１３が嵌合されている。軸方向に隣合うピストン受軸受１８として、例えば、同一サイズの深溝玉軸受が適用される。
【００３１】
偏心カム１３について説明する。
図４に示すように、偏心カム１３は、カム軸７の外周に、このカム軸７の軸心Ｌ２回りにカム軸用軸受１９を介して回転自在に支持されている。各カム軸用軸受１９は、例えば、２個の深溝玉軸受を軸方向に並べて設けられる。カム軸７の外周に、これら深溝玉軸受からなる各カム軸用軸受１９が軸方向に定められた距離離隔して配置される。またこの例では、合計４個の深溝玉軸受として同一サイズのものが適用される。
【００３２】
偏心カム１３は、カム軸７の軸心Ｌ２に対して径方向に距離Ｂだけ偏心され、かつ、互いに１８０度位相に配置されるカム面である２つのピストン受け部１３ａを有する。なおカム軸７の軸心Ｌ２に対する偏心カム１３の偏心距離Ｂと、入力軸６の軸心Ｌ１に対するカム軸７の偏心距離Ａとは同一の距離であっても良いし、異なる距離であっても良い。前記２つのピストン受け部１３ａに、それぞれ前記ピストン受軸受１８を介して、複数のピストン部２６（図２）の各カム受け面１６ａ（図３（Ａ））が配置されている。前記２個の深溝玉軸受から成る各カム軸用軸受１９の半径方向外方に、順次、ピストン受け部１３ａおよびピストン受軸受１８が設けられる。
【００３３】
図２に示すように、偏心カム１３の外周の軸方向の２箇所が、対向する２つのピストン１１を受ける環状のピストン受け部１３ａとなり、これらピストン受け部１３ａは、各ピストンロッド１６の中間に設けられたカム受け面１６ａ（図３）に当接して両ピストンロッド１６を進退させる。
【００３４】
ピストン規制手段１７について説明する。
図５は、この往復動圧縮機のピストン規制手段１７および進退調整手段２７等を拡大して示す断面図であり、図６は、図５のＥ−Ｅ線断面図である。図５および図６に示すように、ピストン規制手段１７は、ガイド軸受２９と、このガイド軸受２９に案内される被案内部３０とを含む。ケース２内には、前記軸心Ｌ１に平行に設けられる複数の軸部２８が設けられる。ケース２内における、各段の圧縮機構部３ａ（図１），３ｂの各シリンダ室１２ａ付近に、ピストンロッド１６を挟んで一対の軸部２８，２８が配置される。各軸部２８に、それぞれガイド軸受２９が前記軸心Ｌ１に平行な軸心回りに回転自在に設けられる。
【００３５】
各軸部２８は、前記一方のケース分割体に固定される第１の軸部２８ａと、前記他方のケース分割体に固定される第２の軸部２８ｂとを有し、これら第１，第２の軸部２８ａ，２８ｂが、同心に配置される。これら第１，第２の軸部２８ａ，２８ｂにおける互いに対向する端部に、ガイド軸受軸３１を支持する調整溝３２（後述する）が設けられる。
【００３６】
ガイド軸受２９は、この例ではシール付きの深溝玉軸受からなる。ガイド軸受２９の内輪内周面を、前記ガイド軸受軸３１の外周面に圧入状態に嵌合させ、ガイド軸受２９の外輪が回転可能に構成される。ガイド軸受２９の内輪端面と、第１，第２の軸部２８ａ，２８ｂとの間には、それぞれ内輪間座３３が介在されている。ガイド軸受軸３１を調整溝３２に沿って移動させても、ガイド軸受２９の前記内輪端面が内輪間座３３に拘束されているため、ガイド軸受２９は、前記軸心Ｌ１に平行な軸心回りの回転姿勢を保持し得る。換言すれば、ガイド軸受軸３１が移動しても、前記内輪端面が内輪間座３３に拘束されるため、ガイド軸受２９は不所望に傾くことがない。
【００３７】
ケース２内において、第１段の圧縮機構部３ａ（図１）の１つのシリンダ室１２ａ付近に、ピストンロッド１６を挟んで一対のガイド軸受２９が設けられる。前記ガイド軸受２９の軸方向位置は互いに同一高さに配置される。これと共に、第１段の圧縮機構部３ａの他のシリンダ室１２ａ付近に、ピストンロッド１６を挟んで一対のガイド軸受２９が設けられる。前記ガイド軸受２９の軸方向位置は互いに同一高さに配置される。
第２段の圧縮機構部３ｂについても、第１段と同様に、１つのシリンダ室１２ａ付近に、ピストンロッド１６を挟んで一対のガイド軸受２９が設けられると共に、他のシリンダ室１２ａ付近に、ピストンロッド１６を挟んで一対のガイド軸受２９が設けられる。
【００３８】
被案内部３０は、ピストンロッド１６の両側面部１６ｃにそれぞれ設けられた断面凹形状のレール溝３０ａからなる。この例では、ピストンロッド１６の両側面部１６ｃに、例えば、機械加工等によりレール溝３０ａがそれぞれ形成される。ピストンロッド１６の一側面部１６ｃのレール溝３０ａに、一対のガイド軸受２９のうちの一方のガイド軸受２９の外輪を案内させると共に、前記ピストンロッド１６の他側面部１６ｃのレール溝３０ａに、前記一対のガイド軸受２９のうちの他方のガイド軸受２９の外輪を案内させる。この場合に、ガイド軸受２９の外輪端面部が、レール溝３０ａの両側面に挟まれ、ピストンロッド１６の軸方向Ａ１への移動が規制される。
【００３９】
進退調整手段２７について説明する。
進退調整手段２７は、ガイド軸受軸３１を、ピストン１１の中心軸Ｌ２およびガイド軸受２９の軸心Ｌ４の両方に直交する方向に進退調整可能な手段である。この進退調整手段２７は、第１，第２の軸部２８ａ，２８ｂに設けられる調整溝３２を有する。この調整溝３２は、前記直交する方向に沿う長孔からなる。ガイド軸受軸３１は、前記軸心Ｌ１に平行な姿勢を保持しつつ、前記長孔からなる前記調整溝３２に沿って移動可能に構成される。
【００４０】
また進退調整手段２７は、ガイド軸受軸３１を固定する固定手段３４と、押し込み部材３５と、ガイド軸受軸３１に予圧を与える予圧付与手段３６とを有する。固定手段３４は、ガイド軸受軸３１を調整溝３２に沿って進退調整しその調整した位置でケース２に固定するものである。この実施形態では、固定手段３４として、例えば、ボルトが適用される。例えば、第１の軸部２８ａに前記直交する方向に延びる長孔の調整溝３２が形成されている。この調整溝３２は、ガイド軸受軸３１と同径である。ガイド軸受軸３１には、前記ボルトに螺合する雌ねじ３１ａが形成されている。ケース２を組み付けた状態において、ガイド軸受軸３１の雌ねじ３１ａに前記ボルトを螺合させることで、ガイド軸受軸３１をケース２に固定し得る。
【００４１】
押し込み部材３５は、例えば、矩形板状の押込部材本体（図示せず）と、この押込部材本体の一端および他端からそれぞれ立設するフランジ部（図示せず）とを有する。第１，第２の軸部２８ａ，２８ｂには、前記フランジ部をそれぞれ調整溝３２内に侵入させる孔が形成されている。また前記各フランジ部における先端部分は、前記ガイド軸受軸３１の外周面の曲率と同一の円弧面からなる。固定手段３４によるガイド軸受軸３１の固定が解除された状態で、予圧付与手段３６により前記押込部材本体を押し込むようになっている。
【００４２】
予圧付与手段３６は、例えば、第１，第２の軸部２８ａ，２８ｂにわたって架設されたベース板３６ａと、このベース板３６ａに螺合するボルトからなる調整具３６ｂとを有する。ベース板３６ａは、押し込み部材３５の両フランジ部を案内する凹形状に形成され、このベース板３６ａの底部に、前記ボルトに螺合される雌ねじが形成されている。ケース２を組み付けた状態において、調整具３６ｂの先端部を前記押込部材本体に当接させて押し込み部材３５を押し込むことで、ガイド軸受軸３１を調整溝３２に沿って進退調整し得る。なお前記固定手段３４に代えてまたは前記固定手段３４と共に、押し込み部材３５を調整具３６ｂで押し込んだ位置で、この調整具３６ｂをベース板３６ａにロックするナット部材３８を設けても良い。
【００４３】
チャンバ４等について説明する。
図２に示すように、チャンバ４は、外部に開口する吸入口２０に連通する入口チャンバ４ａと、第１段の圧縮段の圧縮機構部３ａの圧縮気体出口と第２段の圧縮段の圧縮機構部３ｂの圧縮気体入口との間に介在する中間チャンバ４ｂとを有する。ケース２の一方端における、後方軸８の半径方向外方側部分に、環状の入口チャンバ４ａが設けられる。ケース２の他方端における、入力軸６の半径方向外方側部分に、環状の中間チャンバ４ｂが設けられる。このように、入口チャンバ４ａおよび中間チャンバ４ｂをケース２内に設けている。
【００４４】
各シリンダ室１２ａと蓋部材１４との間にはバルブ台２１が介在され、このバルブ台２１に、吸入バルブ２２および吐出バルブ２３が設けられる。
図２では各シリンダ室１２ａにつき、吸入バルブ２２と吐出バルブ２３が配置されているが、第１段の圧縮段における各シリンダ室１２ａの圧縮室１５に、それぞれ連通する吸入バルブ２２および吐出バルブ２３がバルブ台２１設置され、第２段の圧縮段における各シリンダ室１２ａの圧縮室１５に、それぞれ連通する吸入バルブ２２および吐出バルブ２３がバルブ台２１が設置される。合計４個の吸入バルブ２２と４個の吐出バルブ２３が設けられる。
第１段の圧縮機構部３ａの各シリンダ室１２ａの圧縮室１５は、吸入バルブ２２および通路２４を介して、前記各シリンダ室１２ａで共通の入口チャンバ４ａと繋がっている。前記各シリンダ室１２ａの圧縮室１５は、それぞれ吐出バルブ２３および通路２５を介して、前記各シリンダ室１２ａで共通の中間チャンバ４ｂと連通している。
【００４５】
外部に開口する吸入口２０に連通する入口チャンバ４ａは、第１段における各圧縮室１５にそれぞれ連通する吸入バルブ２２に連通し、前記第１段における各圧縮室１５にそれぞれ連通する吐出バルブ２３は、中間チャンバ４ｂの入口に連通する。この中間チャンバ４ｂの出口は、第２段における各圧縮室１５にそれぞれ連通する吸入バルブ２２に連通し、前記第２段における各圧縮室１５にそれぞれ連通する吐出バルブ２３が図示外の吐出チャンバ等を介して対象機器に接続される。
【００４６】
第１段の圧縮機構部３ａのシリンダ室１２ａ内においてピストン１１が上死点に移動することで、前記シリンダ室１２ａ内の圧縮室１５の圧力が増加する。この圧縮室１５の圧力が中間チャンバ４ｂの圧力以上となると、吐出バルブ２３が開き圧縮された圧縮気体が前記吐出バルブ２３から吐出される。ピストン１１が上死点から下死点に移動することで、圧縮室１５の圧力が低くなって吸入バルブ２２が開くことで、前記シリンダ室１２ａ内に気体が送り込まれる。
【００４７】
第１段の圧縮段におけるシリンダ室１２ａ内において、ピストン１１が上死点から下死点に移動することで、圧縮室１５の圧力が減少し、吸入バルブ２２が開いて入口チャンバ４ａ内の気体が前記シリンダ室１２ａ内に送られる。その後、同ピストン１１が上死点に移動することで、シリンダ室１２ａ内の気体が圧縮され、吐出バルブ２３が開いて中間チャンバ４ｂに送られる。
【００４８】
前記第１段の各シリンダ室１２ａと９０度位相遅れで往復運動する第２段の各シリンダ室１２ａは、後段の圧縮段用として使用され、第１段の圧縮段で圧縮された気体を中間チャンバ４ｂから吸入して、さらに圧縮して吐出する。これによって、第１段で圧縮された気体の温度を放熱することができ、効率の向上に繋がる。なお、この例では、２段圧縮方式を採用した実施形態を示したが、１段圧縮方式であって良く、３段以上の多段圧縮方式であっても良い。
【００４９】
図７は、この往復動圧縮機のシリンダ対の動作を説明する図である。
入力軸が回転すると、その回転力が、入力軸の軸心Ｌ１から距離ｂだけオフセットされた位置で偏心カム１３に伝達される。それにより、偏心カム１３が入力軸および後方軸の軸心Ｌ１を中心として旋回するが、偏心カム１３のピストン受け部１３ａがピストンロッド１６のカム受け面１６ａにピストン受軸受１８を介して嵌合しているため、偏心カム１３が軸心Ｌ３回りの角度規制を受ける。それにより、ピストン対１２は図７のように動作する。
【００５０】
同図（Ａ）は、偏心カム１３の軸心Ｌ３が、入力軸および後方軸の軸心Ｌ１の真左に位置する状態を示す。このとき、ピストン受け部１３ａの中心Ｏ１は、入力軸および後方軸の軸心Ｌ１から真左に距離（ａ＋ｂ）だけ離れて位置する。
同図（Ａ）の状態から偏心カム１３が右回りに９０度旋回すると、同図（Ｂ）に示す状態となる。すなわち、偏心カム全体が入力軸および後方軸の軸心Ｌ１回りに９０度公転すると共に、偏心カム１３は、この軸心Ｌ３回りに公転とは逆方向に９０度自転する。このときのピストン受け部１３ａの中心Ｏ１は、入力軸および後方軸の軸心Ｌ１と左右同じ位置となる。
【００５１】
同図（Ｂ）の状態から偏心カム１３が右回りに９０度旋回すると、同図（Ｃ）に示す状態となる。前記と同様に偏心カム１３が公転および自転することにより、ピストン受け部１３ａの中心Ｏ１が、入力軸および後方軸の軸心Ｌ１から真右に距離（ａ＋ｂ）だけ離れた位置に到達する。つまり、ピストン受け部１３ａの中心Ｏ１が、同図（Ａ）の初期位置から距離（２ａ＋２ｂ）だけ移動したことになる。
【００５２】
その後、同図（Ｃ）の状態から偏心カム１３が右回りに９０度旋回すると、同図（Ｄ）に示す状態となる。このとき、ピストン受け部１３ａの中心Ｏ１は、入力軸および後方軸の軸心Ｌ１と左右同じ位置となる。さらに同図（Ｄ）の状態から偏心カム１３が右回りに９０度旋回することで、同図（Ａ）の状態に戻る。
【００５３】
前記シリンダ対１２の動作において、ピストン受け部１３ａの中心Ｏ１は、ピストンロッド１６のカム受け面１６ａの中心に維持されるから、偏心カム１３が３６０度旋回する間に、ピストンロッド１６が（２ａ＋２ｂ）のストロークで１往復の進退運動をする。ここで、偏心カム１３の軸心Ｌ３に対するピストン受け部１３ａの中心Ｏ１の偏心距離ａと、入力軸および後方軸の軸心Ｌ１に対する偏心カム１３の軸心Ｌ３の偏心距離ｂとは等しいので、ピストンロッド１６のストロークは偏心距離ａ，ｂの４倍である。
【００５４】
入力軸６（図２）が連続回転することにより、２組のシリンダ対１２の各ピストンロッド１６がそれぞれ往復運動を繰り返す。シリンダ対１２のピストンロッド１６がストロークの左端へ移動したときに、左のピストンヘッド１１ｃが上死点に位置し、右のピストンヘッド１１ｃが下死点に位置する。逆に、ピストンロッド１６がストロークの右端へ移動したときに、左のピストンヘッド１１ｃが下死点に位置し、右のピストンヘッド１１ｃが上死点に位置する。
【００５５】
作用効果について説明する。
入力軸６を駆動源により回転駆動することで、入力軸６および後方軸８の軸心Ｌ１に対して偏心したカム軸７が一体に回転し、カム軸７の軸心Ｌ３が旋回する。このため、このカム軸７の外周に回転自在に設置された偏心カム１３は、入力軸６および後方軸８の軸心Ｌ１を中心として公転しながら、カム軸７の軸心回りに自転する。これと共に、偏心カム１３の各ピストン受け部１３ａが、ピストンロッド１６の中間のカム受け面１６ａに当接してピストンロッド１６を進退させる。したがって、各段の各シリンダ室１２ａ内でピストン１１がそれぞれ摺動する。入力軸６の回転運動をシリンダ対１２の往復運動に変換することで、シリンダ対１２において気体の圧縮および吐出が繰り返し行われる。シリンダ対１２で圧縮された圧縮気体は、対象機器に送り出される。
【００５６】
前記のようにピストンロッド１６を進退させるとき、このピストンロッド１６に設けられた被案内部３０が、入力軸６の軸心Ｌ１に平行な軸心回りに回転自在なガイド軸受２９に案内される。ガイド軸受２９の内輪には、ガイド軸受軸３１が嵌合されている。ガイド軸受２９を前記直交する方向に進退調整することで、ピストンロッド１６と、ガイド軸受２９との間の隙間を調整し得る。これによりガイド軸受２９をガタつきなくスムーズに回転させ、振動の抑制を図ることができる。またガイド軸受軸３１を、前記長孔からなる調整溝３２に沿って移動し固定することで、ピストンロッド１６と、ガイド軸受２９との間の隙間を容易に調整することができる。
【００５７】
したがって、従来のように部品の加工精度を高くすることなく、振動の抑制を図れるため、従来技術よりも製作コストを低減することができる。またピストンロッド１６の被案内部３０がガイド軸受２９に案内されることで、ピストン１１の往復直線運動を円周方向のみならず軸方向にもガイドする。よって、シリンダ室１２ａ内で摺動するピストン１１が不所望に傾いたり過度に押し付けられることを防止することにより、ピストン１１の耐久性が向上するうえ、振動も抑制することが可能となる。
【００５８】
またガイド軸受軸３１を進退調整した後、このガイド軸受軸３１を固定手段３４により固定することで、ピストンロッド１６とガイド軸受２９との間の隙間を適正に維持管理することができる。
ガイド軸受軸３１は、ケース２を組み付けた状態で、進退調整可能でかつ固定手段３４によりケース２に固定される。この場合、ケース２を閉じた状態のままつまりケース２を開くことなくこのケース２の外部から、ガイド軸受軸３１を進退調整しケース２に固定することができるため、メンテナンス性に優れる。
進退調整手段２７は、ガイド軸受軸３１を進退調整するときこのガイド軸受軸３１に予圧を与える予圧付与手段３６を含む。この予圧付与手段３６によりガイド軸受軸３１に予圧を与えた状態で、このガイド軸受軸３１をケース２に固定する。これにより、ガイド軸受２９をガタつきなくスムーズに回転させる状態を維持できる。
【００５９】
他の実施形態について説明する。
以下の説明においては、各形態で先行する形態で説明している事項に対応している部分には同一の参照符を付し、重複する説明を略する。構成の一部のみを説明している場合、構成の他の部分は、特に記載のない限り先行して説明している形態と同様とする。同一の構成から同一の作用効果を奏する。実施の各形態で具体的に説明している部分の組合せばかりではなく、特に組合せに支障が生じなければ、実施の形態同士を部分的に組合せることも可能である。
【００６０】
図８は、他の実施形態に係る往復動圧縮機の進退調整手段等を拡大して示す断面図であり、図９は図８のＦ−Ｆ線断面図である。図８および図９に示すように、ガイド軸受軸３１は、偏心軸部３１ｂを含むものとしても良い。偏心軸部３１ｂは、ガイド軸受軸３１の軸方向中間部に設けられ、同ガイド軸受軸３１における軸方向両端部の軸心Ｌ４に対して偏心しガイド軸受内輪に嵌合される。進退調整手段２７は、ガイド軸受軸３１をその軸心回りに回転させることで、偏心軸部３１ｂを前記直交する方向に進退調整可能としている。
【００６１】
第１，第２の軸部２８ａ，２８ｂには、ガイド軸受軸３１の軸方向両端部を回転自在に支持する支持孔２８ａａ，２８ｂａがそれぞれ設けられる。ガイド軸受軸３１の軸方向一端部には、例えば、同ガイド軸受軸３１を回転させるための六角穴３１ｃが形成されている。第１の軸部２８ａにおける支持孔２８ａａの底部には、六角レンチ等の工具（図示せず）を挿入可能な孔が形成される。ケース２を組み付けた状態で、前記工具をガイド軸受軸３１の六角穴３１ｃに係合させて同ガイド軸受軸３１をその軸心Ｌ４回りに回転させ得る。
【００６２】
この例では、前記ガイド軸受軸３１の固定手段３４として、例えば、六角穴付き止めねじが適用される。第１の軸部２８ａに、支持孔２８ａａに連通する雌ねじが形成され、この雌ねじに六角穴付き止めねじを螺合可能になっている。ケース２を組み付けた状態において、六角穴付き止めねじを前記雌ねじに螺合させ、この止めねじの先端をガイド軸受軸３１の外周面に押圧することで、ガイド軸受軸３１をケース２に固定し得る。
この構成によると、ガイド軸受軸３１を前記工具を用いて回転させて偏心軸部３１ｂを進退調整する。その後、ガイド軸受軸３１を前記固定手段３４により回転不能にケース２に固定することで、ピストンロッド１６と、ガイド軸受２９との間の隙間を容易に調整することができる。
【符号の説明】
【００６３】
２…ケース
６…入力軸
７…カム軸
８…後方軸
１１…ピストン
１２…シリンダ対
１２ａ…シリンダ室
１３…偏心カム
１３ａ…ピストン受け部
１６…ピストンロッド
１６ａ…カム受け面
２６…ピストン部
２７…進退調整手段
２９…ガイド軸受
３０…被案内部
３０ａ…レール溝
３１…ガイド軸受軸
３１ｂ…偏心軸部
３２…調整溝
３６…予圧付与手段
【図１】
2014202125.tif 000003
【図２】
2014202125.tif 000004
【図３】
2014202125.tif 000005
【図４】
2014202125.tif 000006
【図５】
2014202125.tif 000007
【図６】
2014202125.tif 000008
【図７】
2014202125.tif 000009
【図８】
2014202125.tif 000010
【図９】
2014202125.tif 000011